(57)【要約】【課題】ファインダ付きカメラのファインダ補正装置において、構造の簡素化、小型化等を図りつつ、ファインダの設置の自由度を高めるようにする。【解決手段】ベース部材１０、レンズ鏡筒２０を含む撮影光学系Ｓ１、撮影光学系から独立して設けられたファインダ光学系Ｓ２、視差補正機構を備えたファインダ補正装置において、視差補正機構Ｍは、光学要素４０ａをファインダ光学系に臨ませて視差補正する補正位置とファインダ光学系から退避した非補正位置との間を移動自在な補正レバー４０、レンズ鏡筒が休止位置にあるとき補正レバーを非補正位置に位置付けかつレンズ鏡筒が所定回転位置にあるときに補正レバーを補正位置に位置付けるようにレンズ鏡筒に連動して補正レバーを回動させる連動レバー３０を含む。これによれば、構造の簡素化、小型化を達成でき、ファインダの設置の自由度を高めることができる。【選択図】図４
2014119583.tif 000002
【特許請求の範囲】
【請求項１】
ベース部材と、レンズの光軸を中心として回転可能に前記ベース部材に設けられたレンズ鏡筒を含む撮影光学系と、前記撮影光学系から独立して前記ベース部材に設けられたファインダ光学系と、前記撮影光学系に対する前記ファインダ光学系の視差を補正する視差補正機構と、を備えたファインダ補正装置であって、
前記視差補正機構は、視差補正用の光学要素を保持すると共に前記光学要素を前記ファインダ光学系に臨ませて視差補正する補正位置と前記ファインダ光学系から退避した非補正位置との間を移動自在に前記ベース部材に設けられた補正レバーと、前記レンズ鏡筒が休止位置にあるとき前記補正レバーを前記非補正位置に位置付けかつ前記レンズ鏡筒が所定回転位置にあるときに前記補正レバーを前記補正位置に位置付けるように前記レンズ鏡筒に連動して前記補正レバーを回動させるべく前記ベース部材に回動自在に設けられた連動レバーを含む、
ことを特徴とするファインダ補正装置。
【請求項２】
前記レンズ鏡筒は、前記ベース部材に固定された固定筒と、前記固定筒に対して回動自在にかつ光軸方向に繰り出し自在に設けられた回転筒を含み、
前記回転筒は、前記休止位置から光軸方向に繰り出して近接撮影時に対応する前記所定回転位置に至る際に前記連動レバーを前記補正位置に対応する位置に回転させるカム作用を及ぼすカム部を有する、
ことを特徴とする請求項１に記載のファインダ補正装置。
【請求項３】
前記連動レバーは、前記光軸と平行な第１軸線回りに回動自在に支持され、前記第１軸線を挟んで一端側に前記回転筒のカム部と係合する第１係合部及び他端側に第２係合部を有し、
前記補正レバーは、前記光軸と平行な第２軸線回りに回動自在に支持され、前記第２軸線を挟んで一端側に前記連動レバーの第２係合部と離脱可能に係合する第３係合部及び他端側に前記光学要素を保持する保持部を有し、
前記視差補正機構は、前記連動レバーの第１係合部を前記回転筒に係合させる向きに回転付勢する第１付勢バネと、前記補正レバーの第３係合部を前記連動レバーの第２係合部に係合させると共に前記補正レバーを前記補正位置に向けて回転付勢する第２付勢バネを含む、
ことを特徴とする請求項２に記載のファインダ補正装置。
【請求項４】
前記連動レバーの第２係合部と前記補正レバーの第３係合部とは、互いにインボリュート曲線をなす係合面を有する、
ことを特徴とする請求項３に記載のファインダ補正装置。
【発明の詳細な説明】
【技術分野】
【０００１】
本発明は、撮影光学系及びファインダ光学系を備えた二眼レフのファインダ補正装置に関し、特に、撮影光学系に対するファインダ光学系の視差（パララックス）補正を行う機構を備えたファインダ補正装置に関する。
【背景技術】
【０００２】
従来のファインダ補正装置としては、カメラボディ、カメラボディの前面中央から光軸方向に繰り出す多段式のズームレンズ鏡筒（撮影光学系）、ズームレンズ鏡筒の上側においてカメラボディに設けられたファインダ（ファインダ光学系）、ズームレンズ鏡筒の周りにおいて回動自在にカメラボディに保持された撮影モード切換ダイヤル、ファインダ光学系による構図と撮影光学系による構図の視差（パララックス）を補正する視差（パララックス）補正機構を備え、視差補正機構として、撮影モード切換ダイヤルから径方向に突出して一体的に形成されたプリズム保持枠、プリズム保持枠に組み込まれたパララックス補正用のコンバージョンプリズムを採用し、撮影モード切換ダイヤルがマクロ撮影（近接撮影）モードを選択する回動位置にあるとき、コンバージョンプリズムがファインダ（のファインダ対物レンズ）の前方に挿入されるようにして、マクロ撮影時に視差（パララックス）補正を行えるようにしたものが知られている（例えば、特許文献１参照）。
【０００３】
しかしながら、このファインダ補正装置において、視差補正機構を構成するプリズム保持枠及びコンバージョンプリズムは、ズームレンズ鏡筒の周りにおいて回動自在に配置された撮影モード切換ダイヤルと一体的に回転するように形成されているため、ファインダの設置場所はプリズム保持枠が設定可能な領域で、かつ、撮影モード切換ダイヤルが回転可能な角度範囲に制限される。
したがって、プリズム保持枠の設定領域及び撮影モード切換ダイヤルの回転範囲を優先すれば、ファインダの設置範囲が制限されて、カメラの形態に応じたファインダの自由な設置が困難になり、一方、ファインダの設置場所を優先すれば、プリズム保持枠の腕長さが不足し又撮影モード切換ダイヤルの回転範囲の制約によるストローク不足等で、本来の視差（パララックス）補正を行うことができない等の問題を招く虞がある。
【先行技術文献】
【特許文献】
【０００４】
【特許文献１】特開２００２−９０８１８号公報
【発明の概要】
【発明が解決しようとする課題】
【０００５】
本発明は、上記の事情に鑑みて成されたものであり、その目的とするところは、少ない部品点数にて、構造の簡素化、小型化等を図りつつ、ファインダの設置の自由度を高めつつ撮影光学系とファインダ光学系とにおける視差（パララックス）補正を行うことができる視差（パララックス）補正機構を備え、特に、近接撮影時において視差（パララックス）補正を行えるファインダ補正装置を提供することにある。
【課題を解決するための手段】
【０００６】
本発明のファインダ補正装置は、ベース部材と、レンズの光軸を中心として回転可能にベース部材に設けられたレンズ鏡筒を含む撮影光学系と、撮影光学系から独立してベース部材に設けられたファインダ光学系と、撮影光学系に対するファインダ光学系の視差を補正する視差補正機構と、を備えたファインダ補正装置であって、上記視差補正機構は、視差補正用の光学要素を保持すると共に光学要素をファインダ光学系に臨ませて視差補正する補正位置とファインダ光学系から退避した非補正位置との間を移動自在にベース部材に設けられた補正レバーと、レンズ鏡筒が休止位置にあるとき補正レバーを非補正位置に位置付けかつレンズ鏡筒が所定回転位置にあるときに補正レバーを補正位置に位置付けるようにレンズ鏡筒に連動して補正レバーを回動させるべくベース部材に回動自在に設けられた連動レバーを含む、ことを特徴としている。
この構成によれば、撮影光学系を構成するレンズ鏡筒が、休止位置にあるとき補正レバー（及び光学要素）は非補正位置に位置付けられ、休止位置から所定回転位置まで移動する際に連動レバーを介して補正レバー（及び光学要素）は移動して補正位置に位置付けられる。したがって、レンズ鏡筒が所定回転位置にある状態で、撮影光学系に対するファインダ光学系の視差を補正することができる。
ここでは、視差補正機構として、光学要素を保持した補正レバー、レンズ鏡筒に連動して補正レバーを移動させる連動レバーの二つのレバーを採用するだけであるため、視差補正機構において、少ない部品点数で、構造の簡素化、小型化等を達成することができ、又、補正レバー及び連動レバーの寸法等を適宜選定することにより、ファインダ（ファインダ光学系）の設置の自由度を高めることができ、カメラの仕様及び形態に適合させつつ視差補正を行うことができる。
【０００７】
上記構成において、レンズ鏡筒は、ベース部材に固定された固定筒と、固定筒に対して回動自在にかつ光軸方向に繰り出し自在に設けられた回転筒を含み、回転筒は、休止位置から光軸方向に繰り出して近接撮影時に対応する所定回転位置に至る際に連動レバーを補正位置に対応する位置に回転させるカム作用を及ぼすカム部を有する、構成を採用することができる。
この構成によれば、ベース部材に固定された固定筒に対して、回転筒が回転しつつ光軸方向に繰り出して所定回転位置に至る際に、回転筒に設けられたカム部が連動レバーにカム作用を及ぼして連動レバーが回転し、この連動レバーの回転に連動して、補正レバー（光学要素）が回転して補正位置に位置付けられる。
このように、レンズ鏡筒に含まれる回転筒のカム作用を利用して、連動レバー及び補正レバーを駆動するため、レンズ鏡筒が近接撮影の位置に至ると同時に自動的に視差補正を行うことができる、すなわち、レンズ鏡筒の近接撮影位置への位置付けに同期させて確実に補正レバー（光学要素）を補正位置へ位置付けることができる。
【０００８】
上記構成において、連動レバーは、光軸と平行な第１軸線回りに回動自在に支持され、第１軸線を挟んで一端側に回転筒のカム部と係合する第１係合部及び他端側に第２係合部を有し、補正レバーは、光軸と平行な第２軸線回りに回動自在に支持され、第２軸線を挟んで一端側に連動レバーの第２係合部と離脱可能に係合する第３係合部及び他端側に光学要素を保持する保持部を有し、視差補正機構は、連動レバーの第１係合部を回転筒に係合させる向きに回転付勢する第１付勢バネと、補正レバーの第３係合部を連動レバーの第２係合部に係合させると共に補正レバーを補正位置に向けて回転付勢する第２付勢バネを含む、構成を採用することができる。
この構成によれば、回転筒の回転により、そのカム部が連動レバーの第１係合部にカム作用を及ぼすと、連動レバーが、第１付勢バネの付勢力に抗しつつ光軸に平行な第１軸線回りに回転して、その第２係合部が補正レバーの第３係合部に係合した状態で補正レバーの回転を許容し、補正レバーは第２付勢バネの付勢力により光軸に平行な第２軸線回りに回転して補正位置に位置付けられる。
このように、連動レバー（の第１係合部）と回転筒とは第１付勢バネにより常時係合するように付勢され、かつ、連動レバー（の第２係合部）と補正レバー（の第３係合部）とは第２付勢バネにより常時係合するように付勢されているため、ガタツキを防止しつつ円滑な連動動作を得ることができ、又、連動レバー及び補正レバーが光軸に平行な軸線回りに回動するように形成されているため、光軸方向において視差補正機構の薄型化を達成することができる。
さらに、第１軸線及び第２軸線の配置場所及び連動レバー及び補正レバーの腕長さを適宜選定することにより、ファインダ（ファインダ光学系）の設置場所の自由度を高めつつ、視差補正を確実に行うことのできる視差補正機構を成立させることができる。
【０００９】
上記構成において、連動レバーの第２係合部と補正レバーの第３係合部とは、互いにインボリュート曲線をなす係合面を有する、構成を採用することができる。
この構成によれば、連動レバーと補正レバーとが、インボリュート曲線をなす係合面によりお互いに係合して駆動力の伝達を行うため、第２係合部及び第３係合部の相互間の滑り等を防止して、駆動力の伝達効率を高めることができる。
【発明の効果】
【００１０】
上記構成をなすファインダ補正装置によれば、少ない部品点数で、構造の簡素化、小型化等を達成でき、ファインダの設置の自由度を高めることができると共に撮影光学系とファインダ光学系とにおける視差（パララックス）補正を行うことができ、特に近接撮影時において視差（パララックス）補正を行うことができる。
【図面の簡単な説明】
【００１１】
【図１】本発明のファインダ補正装置を示す外観斜視図であり、（ａ）はレンズ鏡筒がカメラボディに対して沈胴位置（休止位置）にある状態を示す外観斜視図、（ｂ）はレンズ鏡筒がカメラボディから繰り出した位置にある状態を示す外観斜視図である。
【図２】本発明のファインダ補正装置において、カメラボディを省略した内部のカメラユニットを示すものであり、レンズ鏡筒が繰り出して視差補正機構が（視差補正を行う）補正位置にある状態を示す斜視図である。
【図３】本発明のファインダ補正装置において、カメラボディ及び（レンズ鏡筒の一部をなす）固定筒を省略したカメラユニットを示すものであり、レンズ鏡筒が沈胴位置にあって視差補正機構が（視差補正を行わない）非補正位置にある状態を示す斜視図である。
【図４】本発明のファインダ補正装置において、カメラボディ及び（レンズ鏡筒の一部をなす）固定筒を省略したカメラユニットを示すものであり、レンズ鏡筒が繰り出して視差補正機構が（視差補正を行う）補正位置にある状態を示す斜視図である。
【図５】本発明のファインダ補正装置に含まれるレンズ鏡筒の分解斜視図である。
【図６】本発明のファインダ補正装置に含まれるレンズ鏡筒の一部をなす固定筒を示す斜視図である。
【図７】本発明のファインダ補正装置に含まれるレンズ鏡筒の一部をなす回転筒を示す斜視図である。
【図８】本発明のファインダ補正装置に含まれる視差補正機構の一部をなす連動レバーを示すものであり、（ａ）は正面図であり、（ｂ）が正面側から視た斜視図である。
【図９】本発明のファインダ補正装置に含まれる視差補正機構の一部をなす補正レバーを示すものであり、（ａ）は正面図であり、（ｂ）が正面側から視た斜視図である。
【図１０】本発明のファインダ補正装置に含まれる視差補正機構の動作を説明する模式図であり、（ａ）は補正レバー（視差補正用の光学要素）がファインダ光学系から退避して非補正位置にある状態を示す模式図であり、（ｂ）は補正レバー（視差補正用の光学要素）がファインダ光学系に臨んで補正位置にある状態を示す模式図である。
【図１１】本発明のファインダ補正装置に含まれるファインダ光学系及びその光線を示す模式的な断面図である。
【発明を実施するための形態】
【００１２】
以下、本発明の実施形態について、添付図面を参照しつつ説明する。
この実施形態に係るファインダ補正装置は、撮影光学系とファインダ光学系を備えた二眼レフ式のカメラに係り、図１（ａ），（ｂ）に示すように、カメラボディ１、カメラボディ１の内部に収容されたカメラユニットＵ（図２参照）に設けられてカメラボディ１の前面から光軸Ｌ方向の前方に繰り出すレンズ鏡筒２０を含む撮影光学系Ｓ１、測距部２、ストロボ３、対物窓４を含むファインダ光学系Ｓ２等を備えている。
【００１３】
カメラユニットＵは、図２ないし図４に示すように、略矩形状をなしカメラボディ１の内部に固定されるベース部材１０、レンズの光軸Ｌを中心として回転可能にベース部材１０に設けられた撮影光学系Ｓ１に含まれるレンズ鏡筒２０、撮影光学系Ｓ１から独立してベース部材１０に設けられたファインダ光学系Ｓ２、撮影光学系Ｓ１に対するファインダ光学系Ｓ２の視差（パララックス）を補正する視差補正機構Ｍ（連動レバー３０、補正レバー４０、第１付勢バネ５０、第２付勢バネ６０、カバー部材７０）等を備えている。
【００１４】
レンズ鏡筒２０は、図２ないし図４に示すように、ベース部材１０に固定された固定筒２１、固定筒２１に対して回動自在にかつ光軸Ｌ方向に繰り出し自在に設けられた回転筒２２、回転筒２２を回転駆動するべく固定筒２１の外側に固定された駆動源２３、回転筒２２の内側に配置された第１キー筒２４、回転筒２２及び第１キー筒２４の内側に配置されて光軸Ｌ回りに回転しつつ光軸Ｌ方向に移動自在に保持されたカム筒２５、カム筒２５の内側に配置された第２キー筒２６、カム筒２５及び第２キー筒２６の内側に配置されて光軸Ｌ方向に移動自在に保持された直進筒２７、直進筒２７に保持されたレンズＧ，シャッタ機構（不図示），絞り機構（不図示），及びバリヤ機構ＢＭ等を備えている。
【００１５】
固定筒２１は、図５及び図６に示すように、その内周面において、ヘリコイド２１ａ、光軸Ｌ方向に伸長して第１キー筒２４の係合片２４ａを受け入れるガイド溝２１ｂ、駆動源２３の駆動歯車２３ａを受け入れる開口部２１ｃ、視差補正機構Ｍに含まれる連動レバー３０の一端側（第１係合部３２を含む領域）を揺動可能に受け入れる開口部２１ｄ等を備えている。
回転筒２２は、図５及び図７に示すように、その外周後方領域において固定筒２１のヘリコイド２１ａに螺合すると共に駆動歯車２３ａに螺合する歯付ヘリコイド２２ａ、視差補正機構Ｍに含まれる連動レバー３０の第１係合部３２に係合するカム部２２ｂ、その内周面においてカム筒２５の突出ピン２５ｂを受け入れて光軸Ｌ方向にガイドする３つのガイド溝２２ｃ等を備えている。
そして、回転筒２２は、駆動源２３により回転力が及ぼされることで、光軸Ｌ回りに回転しつつ固定筒２１に対して光軸Ｌ方向に移動するように形成されている。
すなわち、回転筒２２は、休止位置（沈胴位置）から光軸Ｌ方向に繰り出して近接撮影時に対応する所定回転位置に至る際に、そのカム部２２ｂが連動レバー３０（の第１係合部３２）にカム作用を及ぼして連動レバー３０を補正位置に対応する位置に回転させ、一方、所定回転位置から休止位置に向けて逆回転する際に、そのカム部２２ｂのよるカム作用が解除されて連動レバー３０が非補正位置に対応する位置に回転するのを許容するようになっている。
【００１６】
第１キー筒２４は、その外周後方端において径方向に突出すると共に固定筒２１のガイド溝２１ｂに係合する係合片２４ａを備え、又、その内周面において、ヘリコイド２４ｂ、第２キー筒２６の係合片２６ｂを受け入れて光軸Ｌ方向にガイドするガイド溝（不図示）、カム筒２５の突出ピン２５ｂを通して回転筒２２のガイド溝２２ｃに導くべく形成された３つの傾斜長孔２４ｄ等を備えている。
そして、第１キー筒２４は、固定筒２１により光軸Ｌ回りの回転が規制されつつ回転筒２２と一体的に光軸Ｌ方向に移動するように形成されている。
【００１７】
カム筒２５は、その外周において、第１キー筒２４のヘリコイド２４ｂと螺合するヘリコイド２５ａ、第１キー筒２４の傾斜長孔２４ｄを通して回転筒２２のガイド溝２２ｃに挿入される複数（３つ）の突出ピン２５ｂを備え、その内側において、直進筒２７（のフォロワピン２７ａ）に対して光軸Ｌ方向にカム作用を及ぼす複数（６つ）のカム溝２５ｃを備えている。そして、カム筒２５は、回転筒２２の回転により、ガイド溝２２ｃ→突出ピン２５ｂに駆動力が及ぼされて光軸Ｌ回りに回転しつつ、光軸Ｌ方向に移動するように形成されている。
ここで、複数（６つ）のカム溝２５ｃは、光軸Ｌ方向におけるカム作用が全て同一となるプロフィルをなすと共に、フォロワピン２７ａを、挿入側から奥に移行するに連れて、沈胴位置→遠景撮影位置→近景撮影位置→近接撮影（マクロ撮影）位置に位置付けるように形成されている。
【００１８】
第２キー筒２６は、図５に示すように、フォロワピ２７ａを受け入れると共に光軸Ｌ方向に伸長して形成された６つのガイド長孔２６ａ、第１キー筒２４のガイド溝（不図示）に挿入される３つの係合片２６ｂ等を備えている。ここで、６つのガイド長孔２６ａにおいては、３つのガイド長孔２６が３つのフォロワピン２７ａの付け根部に設けられた拡径部をそれぞれ摺動自在に嵌め込んで光軸Ｌ方向に案内するように形成され、他の３つのガイド長孔２６ａは、フォロワピン２７ａを所定の隙間をおいて挿入するように形成されている。そして、第２キー筒２６は、固定筒２１及び第１キー筒２４を介して光軸Ｌ回りの回転が規制されつつ、カム筒２５と一体的に光軸Ｌ方向に移動するようになっている。
【００１９】
直進筒２７は、図５に示すように、円筒状に形成されており、その外周後方側において、光軸Ｌに垂直な径方向外向きに突出する６つのフォロワピン２７ａ、３つのフォロワピン２７ａの付け根領域に形成された３つの拡径部、その内側に保持されたレンズＧ，シャッタ機構（不図示），絞り機構（不図示），及びバリヤ機構ＢＭ等を備えている。
【００２０】
上記構成をなすレンズ鏡筒２０においては、駆動源２３が起動すると、図１（ａ）及び図３に示す沈胴位置（休止位置）から、回転筒２２、カム筒２５、及び直進筒２７がそれぞれ光軸Ｌ方向に繰り出して、遠景撮影位置→近景撮影位置を経て、図１（ｂ）及び図４に示すように所定回転位置において近接撮影位置に位置付けられるようになっている。
【００２１】
ファインダ光学系Ｓ２は、図１１に示すように、撮影光学系Ｓ１の光軸Ｌに平行な光軸ＦＬを画定するように配置されており、被写体側から後方に向けて、順に、対物窓４、口径板５、対物レンズ６、口径板７、プリズム８、接眼レンズ９等を備えている。
そして、被写体の光線は、対物窓４→口径板５→対物レンズ６→口径板７→プリズム８→接眼レンズ９を通して、撮影者の眼に至るようになっている。
また、ファインダ光学系Ｓ２においては、図１１に示すように、対物レンズ６の前方で対物窓４の後方において、補正レバー４０に保持された視差補正用の光学要素４０ａが挿入及び離脱される空間Ｓが設けられている。
【００２２】
視差補正機構Ｍは、図２ないし図４、図８ないし図１０に示すように、連動レバー３０、補正レバー４０、第１付勢バネ５０、第２付勢バネ６０、カバー部材７０等を備えている。
連動レバー３０は、図８に示すように、光軸Ｌと平行な第１軸線Ｌ１を画定するベース部材１０の支軸１１を通す円筒部３１、円筒部３１を挟んで一端側に回転筒２２のカム部２２ｂと係合する第１係合部３２及び他端側に第２係合部３３、第１付勢バネ５０の自由端部５１を掛止させる掛止部３４を備え、光軸Ｌと平行な第１軸線Ｌ１回りにおいて回動自在にベース部材１０に支持されている。
そして、連動レバー３０は、レンズ鏡筒２０が休止位置にあるとき、図１０（ａ）に示すように、補正レバー４０（の光学要素４０ａ）を非補正位置（ファインダ光学系Ｓ２の空間Ｓから退避した位置）に位置付け、かつ、レンズ鏡筒２０が近接撮影時に対応する所定回転位置にあるとき、図１０（ｂ）に示すように、補正レバー４０（の光学要素４０ａ）を補正位置（ファインダ光学系Ｓ２の空間Ｓに臨む位置）に位置付ける（保持部４３の一部をストッパＳ´に当接させて位置決めする）ように、すなわち、レンズ鏡筒２０の回転筒２２に補正レバー４０を連動させるように形成されている。
【００２３】
補正レバー４０は、図９に示すように、光軸Ｌと平行な第２軸線Ｌ２を画定するベース部材１０の支軸１２を通すと共にその周りに第２付勢バネ６０のコイル部６１を嵌め込んで保持する円筒部４１、円筒部４１を挟んで一端側に連動レバー３０の第２係合部３３と係合する第３係合部４２及び他端側に光学要素４０ａを保持する保持部４３、第２付勢バネ６０の一端部６２を掛止させる掛止部４４を備え、光軸Ｌと平行な第２軸線Ｌ２回りにおいて回動自在にベース部材１０に支持されている。
そして、補正レバー４０は、図１０（ｂ）に示すように、視差補正用の光学要素４０ａを保持すると共に光学要素４０ａをファインダ光学系Ｓ２の空間Ｓに臨ませて視差補正する補正位置と、図１０（ａ）に示すように、ファインダ光学系Ｓ２の空間Ｓから退避した非補正位置との間を移動自在に形成されている。
【００２４】
ここで、連動レバー３０の第２係合部３３と補正レバー４０の第３係合部４２とは、互いにインボリュート曲線をなす係合面を有するように形成されている。
これによれば、連動レバー３０と補正レバー４０とが、インボリュート曲線をなす係合面によりお互いに係合して駆動力の伝達を行うため、第２係合部３３及び第３係合部４２の相互間の滑り等を防止して、駆動力の伝達効率を高めることができる。
【００２５】
第１付勢バネ５０は、図３、図４、図１０に示すように、片持ち梁状の板バネであり、その自由端部５１が連動レバー３０の掛止部３４に掛止され、その固定部５２がベース部材１０の固定部１３に固定されている。
そして、第１付勢バネ５０は、連動レバー３０の第１係合部３２を回転筒２２（のカム部２２ｂ）に係合させる向きに回転付勢するように形成されている。
【００２６】
第２付勢バネ６０は、図３、図４、図１０に示すように、コイル部６１、一端部６２、及び他端部６３を備えた捩りバネであり、コイル部６１が補正レバー４０の円筒部４１に外嵌されて保持され、その一端部６２が補正レバー４０の掛止部４４に掛止され、その他端部６３がベース部材１０の掛止部１４に掛止されている。
そして、第２付勢バネ６０は、補正レバー４０の第３係合部４２を連動レバー３０の第２係合部３３に係合させると共に補正レバー４０（の光学要素４０ａ）を補正位置に向けて回転付勢するように形成されている。
【００２７】
カバー部材７０は、図２に示すように、ベース部材１０に対して、連動レバー３０、補正レバー４０、第１付勢バネ５０、及び第２付勢バネ６０が組み付けられた状態において、それらの脱落を防止するべく前側から覆うようにベース部材１０に組み付けられるように形成されている。
【００２８】
上記構成をなす視差補正機構Ｍによれば、回転筒２２の回転により、そのカム部２２ｂが連動レバー３０の第１係合部３２にカム作用を及ぼすと、連動レバー３０が、第１付勢バネ５０の付勢力に抗しつつ光軸Ｌに平行な第１軸線Ｌ１回りに回転して、その第２係合部３３が補正レバー４０の第３係合部４２に係合した状態で補正レバー４０の回転を許容し、補正レバー４０は第２付勢バネ６０の付勢力により光軸Ｌに平行な第２軸線Ｌ２回りに回転して補正位置に位置付けられる。
このように、連動レバー３０（の第１係合部３２）と回転筒２２とは第１付勢バネ５０により常時係合するように付勢され、かつ、連動レバー３０（の第２係合部３３）と補正レバー４０（の第３係合部４２）とは第２付勢バネ６０により常時係合するように付勢されているため、ガタツキを防止しつつ円滑な連動動作を得ることができ、又、連動レバー３０及び補正レバー４０が光軸Ｌに平行は支軸１１，１２回りに回動するように形成されているため、光軸Ｌ方向において視差補正機構Ｍの薄型化を達成することができる。
さらに、第１軸線Ｌ１（支軸１１）及び第２軸線Ｌ２（支軸１２）の配置場所及び連動レバー３０及び補正レバー４０の腕長さを適宜選定することにより、ファインダ（ファインダ光学系Ｓ２）の設置場所の自由度を高めつつ、視差補正を確実に行うことのできる視差補正機構Ｍを成立させることができる。
【００２９】
また、上記のように、視差補正機構Ｍが、連動レバー３０、補正レバー４０、第１付勢バネ５０、及び第２付勢バネ６０等により構成されているため、視差補正機構としての構造の簡素化、小型化等を達成することができ、又、レンズ鏡筒２０に含まれる回転筒２２のカム作用を利用して、連動レバー３０及び補正レバー４０を駆動するため、レンズ鏡筒２０が近接撮影の位置に至ると同時に自動的に視差補正を行うことができる、すなわち、レンズ鏡筒２０の近接撮影位置への位置付けに同期させて確実に補正レバー４０（光学要素４０ａ）を補正位置へ位置付けることができる。
【００３０】
次に、上記構成をなすファインダ補正装置の動作について説明する。
先ず、カメラの休止状態において、レンズ鏡筒２０は、図１（ａ）及び図３に示すように沈胴位置に位置している。このとき、連動レバー３０は回転筒２２のカム部２２ｂから離脱してカム作用を受けておらず、補正レバー４０（光学要素４０ａ）は、図３及び図１０（ａ）に示すように、ファインダ光学系Ｓ２から退避した非補正位置に位置付けられている。
【００３１】
続いて、カメラの撮影モードが選択されて、レンズ鏡筒２０は沈胴位置から光軸Ｌ方向に繰り出すと遠景撮影モードに移行し、さらに光軸Ｌ方向に繰り出すと近景撮影モードに移行し、図４に示すようにさらに光軸Ｌ方向に繰り出すと近接撮影モードに移行する。
この近接撮影時に移行する際、すなわち、回転筒２２が所定回転位置に至る際に、そのカム部２２ｂが連動レバー３０の第１係合部３２にカム作用を及ぼし、連動レバー３０は第１付勢バネ５０の付勢力に抗しつつ光軸Ｌに平行な第１軸線Ｌ１回りに回転して、第２係合部３３が補正レバー４０の第３係合部４２に係合した状態で補正レバー４０の回転を許容し、補正レバー４０（光学要素４０ａ）は、図４及び図１０（ｂ）に示すように、第２付勢バネ６０の付勢力により光軸Ｌに平行な第２軸線Ｌ２回りに回転して補正位置に位置付けられる。
この状態で、ファインダ光学系Ｓ２においては、図１１に示すように、近接撮影時のファインダ視野は、通常撮影時のファインダ視野に比べて光軸Ｌに近づく向きに視差補正される。
【００３２】
一方、レンズ鏡筒２０が光軸Ｌ方向において繰り出し位置から沈胴位置に向けて移動するように回転筒２２が逆回転すると、撮影レンズ光学系Ｓ１（レンズ鏡筒２０）においては、近接撮影モード→近景撮影モード→遠景撮影モードを経て、沈胴位置（休止位置）に至り、補正レバー４０（光学要素４０ａ）は、近接撮影モードから近景撮影モードに移行する際の回転筒２２の回転に連動して、図３及び図１０（ａ）に示すように、ファインダ光学系Ｓ２から退避した非補正位置に位置付けられる。
【００３３】
以上述べたように、上記構成をなす視差補正機構Ｍを採用することで、撮影光学系Ｓ１を構成するレンズ鏡筒２０の回転に連動して撮影光学系Ｓ１に対するファインダ光学系Ｓ２の視差を補正することができ、又、視差補正機構Ｍとして、光学要素４０ａを保持した補正レバー４０、レンズ鏡筒２０に連動して補正レバー４０を移動させる連動レバー３０の二つのレバーを採用するだけであるため、視差補正機構において、少ない部品点数で、構造の簡素化、小型化等を達成することができ、又、補正レバー４０及び連動レバー３０の寸法等を適宜選定することにより、ファインダ（ファインダ光学系Ｓ２）の設置の自由度を高めることができ、カメラの仕様及び形態に適合させつつ視差補正を行うことができる。
【００３４】
上記実施形態においては、レンズ鏡筒として、固定筒２１、回転筒２２、第１キー筒２４、カム筒２５、第２キー筒２６、直進筒２７を含む構成を採用した場合を示したが、これに限定されるものではなく、光軸Ｌ回りに回転する回転筒を含む構成であれば、その他の構成をなすレンズ鏡筒を採用することができる。
上記実施形態においては、視差補正機構として、連動レバー３０、補正レバー４０の他に、第１付勢バネ５０及び第２付勢バネ６０を含む構成を示したが、これに限定されるものではなく、付勢バネを廃止して、連動レバーと補正レバーとをリンク結合により連結する構成、あるいは、その他の構成を採用してもよい。
上記実施形態においては、連動レバー３０の第２係合部３３と補正レバー４０の第３係合部４２とが、インボリュート曲線をなす係合面として形成されている場合を示したが、これに限定されるものではなく、駆動力の伝達を行えるものであれば、その他の形態をなす係合部を採用してもよい。
【産業上の利用可能性】
【００３５】
以上述べたように、本発明に係るファインダ補正装置は、少ない部品点数で、構造の簡素化、小型化等を達成でき、ファインダの設置の自由度を高めることができると共に撮影光学系とファインダ光学系とにおける視差（パララックス）補正を行うことができ、特に近接撮影時において視差（パララックス）補正を行うことができるため、単焦点式のカメラに限らず、ズーム式のカメラあるいはその他のカメラ、光学機器等においても有用である。
【符号の説明】
【００３６】
Ｌ  光軸
１  カメラボディ
２  測距部
３  ストロボ
Ｓ１  撮影光学系
Ｓ２  ファインダ光学系
Ｓ  空間
Ｓ´  ストッパ
４  対物窓
５  口径板
６  対物レンズ
７  口径板
８  プリズム
９  接眼レンズ
Ｕ  カメラユニット
１０  ベース部材
１１  支軸
Ｌ１  第１軸線
１２  支軸
Ｌ２  第２軸線
１３  固定部
１４  掛止部
２０  レンズ鏡筒
２１  固定筒
２１ａ  ヘリコイド
２１ｂ  ガイド溝
２１ｃ  開口部
２１ｄ  開口部
２２  回転筒
２２ａ  歯付ヘリコイド
２２ｂ  カム部
２２ｃ  ガイド溝
２３  駆動源
２３ａ  駆動歯車
２４  第１キー筒
２４ａ  係合片
２４ｂ  ヘリコイド
２４ｄ  傾斜長孔
２５  カム筒
２５ａ  ヘリコイド
２５ｂ  突出ピン
２５ｃ  カム溝
２６  第２キー筒
２６ａ  ガイド長孔
２６ｂ  係合片
２７  直進筒
２７ａ  フォロワピン
Ｇ  レンズ
ＢＭ  バリヤ機構
Ｍ  視差補正機構
３０  連動レバー
３１  円筒部
３２  第１係合部
３２  第２係合部
３４  掛止部
４０  補正レバー
４０ａ  視差補正用の光学要素
４１  円筒部
４２  第３係合部
４３  保持部
４４  掛止部
５０  第１付勢バネ
５１  自由端部
５２  固定部
６０  第２付勢バネ
６１  コイル部
６２  一端部
６３  他端部
７０  カバー部材
【図１】
2014119583.tif 000003
【図２】
2014119583.tif 000004
【図３】
2014119583.tif 000005
【図４】
2014119583.tif 000006
【図５】
2014119583.tif 000007
【図６】
2014119583.tif 000008
【図７】
2014119583.tif 000009
【図８】
2014119583.tif 000010
【図９】
2014119583.tif 000011
【図１０】
2014119583.tif 000012
【図１１】
2014119583.tif 000013